(57)【特許請求の範囲】
【請求項１】
空気調和機本体内に略四方形に曲げた熱交換器と、この熱交換器の両端部を略四方形の一隅部で連結する仕切り板と、この熱交換器の略中央空間に設置された送風機とを有した天井埋込形空気調和装置において、
前記仕切り板を長辺及び短辺を有する略Ｌ字形に曲げて、前記仕切り板の長辺にだけ送風機の送風が当たるように配置すると共に、前記仕切り板の短辺の近傍であって前記送風機の風が送風される空間と同一空間内に前記送風機の送風方向から退避する空間を形成し、
前記送風機のリード線を前記仕切り板の短辺に固定して前記退避する空間を通じて空気調和機本体外へ導出する構成としたことを特徴とする天井埋込形空気調和装置。
【発明の詳細な説明】
【０００１】
【発明の属する技術分野】
本発明は、天井埋込形空気調和装置における送風機のリード線の空気調和機本体外への導出構成に関する。
【０００２】
【従来の技術】
一般に、天井埋込形空気調和装置における送風機は、空気調和機本体内において略四方形に曲げられた熱交換器とこの熱交換器の両端部を略四方形の一隅部で連結する仕切り板とによって形成される空間内に設置されるが、この送風機のリード線は、空気調和機本体の天板を這った後、前記熱交換器の内側面に沿って立ち下げられて、空気調和機本体外へ導出されるのが一般的である。
【０００３】
【発明が解決しようとする課題】
しかしながら、前記熱交換器と仕切り板とによって形成される空間内では、この空間内に設置された送風機が駆動すると送風のため空気が流動するため、送風機のリード線が、熱交換器の内側面に沿って立ち下げられていると、このリード線が振動し、騒音が発生するという問題がある。
【０００４】
そこで、本発明の目的は、上述した従来の技術が有する課題を解消し、送風機のリード線を空気調和機本体外へ導出する際に、熱交換器と仕切り板とによって形成される空間内で起こる送風によるリード線への悪影響を緩和しリード線が送風によって振動することが少なく振動音の発生を抑えることができる天井埋込形空気調和装置を提供することにある。
【０００５】
【課題を解決するための手段】
請求項１に記載の発明は、空気調和機本体内に略四方形に曲げた熱交換器と、この熱交換器の両端部を略四方形の一隅部で連結する仕切り板と、この熱交換器の略中央空間に設置された送風機とを有した天井埋込形空気調和装置において、前記仕切り板を長辺及び短辺を有する略Ｌ字形に曲げて、前記仕切り板の長辺にだけ送風機の送風が当たるように配置すると共に、前記仕切り板の短辺の近傍であって前記送風機の風が送風される空間と同一空間内に前記送風機の送風方向から退避する空間を形成し、前記送風機のリード線を前記仕切り板の短辺に固定して前記退避する空間を通じて空気調和機本体外へ導出する構成としたことを特徴とするものである。
【０００８】
これらの発明では、前記仕切り板を長辺及び短辺を有する略Ｌ字形に曲げて、前記仕切り板の長辺にだけ送風機の送風が当たるように配置すると共に、前記仕切り板の短辺の近傍であって前記送風機の風が送風される空間と同一空間内に前記送風機の送風方向から退避する空間を形成し、前記送風機のリード線を前記仕切り板の短辺に固定して前記退避する空間を通じて空気調和機本体外へ導出する構成としたため、送風機が駆動することによって起こる送風が、リード線にあたることがなく、送風機の送風による影響を受けることが少なくなるため、振動による騒音を減少させることができる。
【０００９】
【発明の実施の形態】
以下、本発明の一実施形態を添付の図面を参照して説明する。
【００１０】
図１は、天井埋込型空気調和装置を示している。この天井埋込型空気調和装置は、板金製の空気調和機本体１を有し、この空気調和機本体１は、吊りボルト２で天井からつり下げられている。
【００１１】
この空気調和機本体１は、図２に示すように、略四角形の箱形に形成されている。図２中では、空気調和機本体１の上方が開口し、天井に埋め込まれた場合、この開口側が被調和室に対向する。
【００１２】
この空気調和機本体１の内側には、発泡スチロール製の断熱体３が、空気調和機本体１の側板１Ａの内面に略接した状態で配置されている。この断熱体３の高さＨ１は、空気調和機本体１の高さＨ２から、後述するドレンパン１３の高さＨ３を減じた程度の高さに設定されている。
【００１３】
空気調和機本体１の天板１Ｂには、モータ５が固定され、このモータ５のシャフトには羽根車７が取り付けられている。これらが送風機９を構成している。この送風機９を取り囲むように、略四角形状に曲げられた熱交換器１１が、上記発泡スチロール製の断熱体３の内側に配置されている。
【００１４】
この熱交換器１１の下面１１Ａを覆うように、発泡スチロール製のドレンパン１３が配置され、このドレンパン１３は、その外周１３Ａが空気調和機本体１の側板１Ａの内面に略接した状態で配置されている。
【００１５】
このドレンパン１３には、補強部材１５、送風機９のノズル１７，電装箱１９等の各種部品がねじ止めされている。
【００１６】
そして、空気調和機本体１の下面には、図１に示すように、化粧パネル２１が取り付けられ、この化粧パネル２１には吸込口２２と吹出口２３が形成され、吸込口２２にはフィルタ２５が装着されている。
【００１７】
図３は、空気調和機本体１を下から見た状態を示し、ドレンパン１３を外した状態を示している。
【００１８】
本実施形態では、図３に示すように、空気調和機本体１における熱交換器１１は、送風機９を取り囲むように略四角形状に曲げられ、その両端の端板１１Ｂ，１１Ｃは、略四方形の一隅部Ａで仕切り板３０によって連結されており、この仕切り板３０は、送風機９の位置する方向に突出するように略Ｌ字形（図２参照）に折り曲げられている。この仕切り板３０の外側には、冷媒管３４につながる電動膨張弁３２が配置され、この電動膨張弁３２を経て冷媒管３４は熱交換器１１につながれ、この熱交換器１１を経由した後、冷媒管３６がつながれている。また、熱交換器１１の外側であって図中右上部にはドレンポンプ３６が配置され、ドレンパン１３によって回収されたドレンがこのドレンポンプ３６によってドレン排出管３８から排出される。
【００１９】
本実施形態では、送風機９が矢印方向（時計方向）に回転する場合において、上述したように、仕切り板３０が略Ｌ字形に曲げられて仕切り板３０の短辺３０Ａの内側に送風機９の送風方向から退避する空間Ｂが形成される。すなわち送風機９からの送風は仕切り板３０の長辺３０Ｂに衝突するように送風され、この送風方向から退避する空間Ｂには送風されない。
【００２０】
この退避する空間Ｂに、モータ５に連結されたリード線４０が導かれる。モータ５に連結されたリード線４０は、空気調和機本体１の天板１Ｂを這った後、上記空間Ｂに向かう。空気調和機本体１の天板１Ｂではリード線４０がプレートカバー４６に覆われ固定される。
【００２１】
続いてリード線４０は、図４に示すように仕切り板３０の短辺３０Ａに沿って立ち下がり、複数のクランパー４４によって係止され固定される。このようにリード線４０は、送風方向から退避する空間Ｂに導かれて固定された状態となり、空気調和機本体１外へ導出される。
【００２２】
この実施の形態では、仕切り板３０を送風機９方向に略Ｌ字状に曲げて、仕切り板３０の長辺３０Ｂに送風機９が駆動することによって起こる送風が当たるようにしたので、仕切り板３０の短辺３０Ａの内側は送風による影響を受けにくく、そこには送風機９の送風方向から退避する空間Ｂが形成される。
【００２３】
従って、この空間Ｂにリード線４０を導き空気調和機本体１外へ導出する構成としたので、送風機９が駆動してもリード線４０は空気の流動に影響を受けにくく安定的に固定され振動音の発生が少なく静かである。
【００２４】
以上、一実施形態に基づいて本発明を説明したが、本発明はこれに限定されるものでないことは明らかである。この仕切り板３０の曲げ形態は略Ｌ字形に限定されない。上記空間Ｂが形成されるものであれば、いかなる形態であってもよいことは明らかである。
【００２５】
【発明の効果】
本発明では、前記仕切り板を長辺及び短辺を有する略Ｌ字形に曲げて、前記仕切り板の長辺にだけ送風機の送風が当たるように配置すると共に、前記仕切り板の短辺の近傍であって前記送風機の風が送風される空間と同一空間内に前記送風機の送風方向から退避する空間を形成し、前記送風機のリード線を前記仕切り板の短辺に固定して前記退避する空間を通じて空気調和機本体外へ導出する構成としたため、送風機が駆動することによって起こる送風が、リード線にあたることがなく、送風機の送風による影響を受けることが少なくなるため、振動による騒音を減少させることができる。
【図面の簡単な説明】
【図１】本発明による天井埋込形空気調和装置の一実施形態を示す断面図である。
【図２】同じく天井埋込形空気調和装置の分解斜視図である。
【図３】空気調和機本体の平面図である。
【図４】図３の矢視IV図であり、リード線の固定状況を示す図である。
【符号の説明】
１  空気調和機本体
３  断熱体
５  モータ
７  羽根車
９  送風機
１１  熱交換器
１３  ドレンパン
２１  化粧パネル
３０  仕切り板
４０  リード線
４４  クランパー
【図１】
0003813407.tif 000002
【図２】
0003813407.tif 000003
【図３】
0003813407.tif 000004
【図４】
0003813407.tif 000005